(57)【要約】【課題】パレット部に緩衝機能を設けることにより外箱外周にクリアランスができるため、外箱と他の物品との接触を防止でき、外箱の美観を維持する商品運搬用パレットを提供する。【解決手段】ダンボールパレット１、その上面を覆うように被せる外装箱２、同側面に設ける緩衝部材３で構成する。ダンボールパレット１は、フォークリフトのフォークを挿入するフォーク挿入孔４が形成し、パレットの桁材の先端に緩衝部材３を設ける。緩衝部材３は、フォーク挿入孔４が形成されたダンボールパレット１の一の側面を覆う大きさとしてあり、３個の凸部３ａ、３ｂ、３ｃを備える。フォーク挿入孔４の周囲には枠状に緩衝部材３の連結部分３ｄが位置する。パレットの桁材の先端に対応する部分を外方へ膨出させ、その内側に別部材である緩衝機能部材５を配してパレットの桁材の先端に取り付ける。【選択図】図１
2009149328.tif 000002
【特許請求の範囲】
【請求項１】
少なくとも一の側面部に衝撃を吸収するための緩衝部材を少なくとも一つ配してなることを特徴とする商品運搬用パレット。
【請求項２】
請求項１に記載の商品運搬用パレットにおいて、前記緩衝部品を一つの側面に単数個配してなることを特徴とする商品運搬用パレット。
【請求項３】
請求項１に記載の商品運搬用パレットにおいて、前記緩衝部品を一つの側面に複数個配してなることを特徴とする商品運搬用パレット。
【請求項４】
請求項２に記載の商品運搬用パレットにおいて、前記緩衝部品を、該緩衝部品を取り付ける一の側面を覆う大きさとするとともに、荷役のための部材を挿入するための開口部を備えてなることを特徴とする商品運搬用パレット。
【請求項５】
請求項３または４に記載の商品運搬用パレットにおいて、前記緩衝部品が、該緩衝部品を設けた前記側面から部分的に凸状となる部位を有することを特徴とする商品運搬用パレット。
【請求項６】
請求項３または４に記載の商品運搬用パレットにおいて、前記緩衝部品が、該緩衝部品を設けた前記側面と同様の平らな形状を有することを特徴とする商品運搬用パレット。
【請求項７】
請求項４から６のいずれかに記載の商品運搬用パレットにおいて、前記開口部に着脱可能な緩衝機能部材を含むことを特徴とする商品運搬用パレット。
【請求項８】
請求項７に記載の商品運搬用パレットにおいて、前記緩衝部品の内側または外側に前記緩衝機能部材を取り付ける機構を有することを特徴とする商品運搬用パレット。
【請求項９】
請求項１から８のいずれかに記載の商品運搬用パレットにおいて、少なくともパルプモールド等の材質の紙製成型品からなる部分を含むことを特徴とする商品運搬用パレット。
【請求項１０】
請求項１から８のいずれかに記載の商品運搬用パレットにおいて、少なくとも樹脂成型品からなる部分を含むことを特徴とする商品運搬用パレット。
【請求項１１】
請求項８に記載の商品運搬用パレットにおいて、前記緩衝機能部材の材質が積層段ボール材からなることを特徴とする商品運搬用パレット。
【請求項１２】
請求項８に記載の商品運搬用パレットにおいて、前記緩衝機能部材の材質が発泡ポリスチレン等の樹脂成型品からなることを特徴とする商品運搬用パレット。
【請求項１３】
請求項１から１２のいずれかに記載の商品運搬用パレットを用いたことを特徴とする梱包装置。
【発明の詳細な説明】
【技術分野】
【０００１】
本発明は、緩衝部品、これに取り付ける別の緩衝機能部材を取り付けて使用する商品運搬用パレットと、これを用いた梱包装置に関する。
【背景技術】
【０００２】
フォークリフト等で移動させる商品運搬用パレットにおいては、例えば輸送時はできるだけ包装貨物を小さくすることで輸送効率を上げる必要があり、必要最小限の緩衝距離を設けているが、荷役作業においては段ボールパレット単体および外装箱の内側に設けた緩衝部材だけではその荷役作業における衝撃に耐えられないケースがある。
【０００３】
従来の包装材では、製品輸送時における作業者の荷扱いなどにより、梱包状態の製品が壁などの障害物に衝突する事が想定されるため、製品側面部に緩衝機能を設ける必要があり、梱包状態の寸法は製品寸法＋緩衝材が緩衝機能を果たすための緩衝距離が必要であった。また、製品の緩衝材に接する部分は、製品外装面を頑強にする必要があった。
【０００４】
また、前述の従来技術では局所的に緩衝部材を設けているため、フォークリフトの接触による破損は防止できても、壁などに衝突した際には衝撃を吸収しきれずに、パレットや積載する製品に衝撃を伝達することとなる。
【０００５】
パレットの桁を構成する部分に段ボールを重ねて貼合する積層段ボールや紙管を使用して剛性を保持する段ボールパレットがある（例えば特許文献１参照）。
【０００６】
またパレットの挿入孔にフォークを挿入するとフォークの先端がパレット挿入孔の周囲もしくは内部で衝突してしまうため、フォーク挿入孔近傍の損傷を防止するために保護部材を設けたパレットがある（特許文献２〜１１参照）。
【０００７】
【特許文献１】特開平１１−２０８６６３号公報
【特許文献２】特開平９‐１６５０３９号公報
【特許文献３】特開２００６‐２９８４０５号公報
【特許文献４】実用新案登録３００１６０１号公報
【特許文献５】実開平６−７２８３８号公報
【特許文献６】実開平５−８１０２５号公報
【特許文献７】実開昭６２−１４３６２３号公報
【特許文献８】実開昭５５−６１５３１号公報
【特許文献９】実開昭５２−７００４号公報
【特許文献１０】実開昭５０−１４８７５５号公報
【特許文献１１】実開昭５５−３６１５６号公報
【発明の開示】
【発明が解決しようとする課題】
【０００８】
上述のように商品運搬用パレットにおいては、例えば、輸送時はできるだけ包装貨物を小さくすることで輸送効率を上げる必要があり、必要最小限の緩衝距離を設けているが、荷役作業においては段ボールパレット単体および外装箱の内側に設けた緩衝部材だけではその荷役作業における衝撃に耐えられないケースがあり、また、製品輸送時における作業者の荷扱いなどにより、梱包状態の製品が壁などの障害物に衝突する事が想定されるため、製品側面部に緩衝機能を設ける必要があり、梱包状態の寸法は製品寸法＋緩衝材が緩衝機能を果たすための緩衝距離が必要であった。そして、そのために、製品の緩衝材に接する部分は、製品外装面を頑強にする必要があった。
【０００９】
また、前述の従来技術では局所的に緩衝部材を設けているため、フォークリフトの接触による破損は防止できても、壁などに衝突した際には衝撃を吸収しきれずに、パレットや積載する製品に衝撃を伝達することとなる。
【００１０】
本発明はこのような従来技術の実情に鑑みてなされたもので、パレット部に緩衝機能を設けることにより外箱外周にクリアランスができるため、外箱と他の物品との接触を防止でき、外箱の美観を維持することを目的とする
【課題を解決するための手段】
【００１１】
本発明の商品運搬用パレットのうち請求項１に係るものは、前記目的を達成するために、画像読取り部で一面の画像を読み取った少なくとも一の側面部に衝撃を吸収するための緩衝部材を少なくとも一つ配してなることを特徴とする。
【００１２】
請求項２に係るものは、請求項１に記載の商品運搬用パレットにおいて、前記緩衝部品を一つの側面に単数個配してなることを特徴とする。
【００１３】
請求項３に係るものは、請求項１に記載の商品運搬用パレットにおいて、前記緩衝部品を一つの側面に複数個配してなることを特徴とする。
【００１４】
請求項４に係るものは、請求項２に記載の商品運搬用パレットにおいて、前記緩衝部品を、該緩衝部品を取り付ける一の側面を覆う大きさとするとともに、荷役のための部材を挿入するための開口部を備えてなることを特徴とする。
【００１５】
請求項５に係るものは、請求項３または４に記載の商品運搬用パレットにおいて、前記緩衝部品が、該緩衝部品を設けた前記側面から部分的に凸状となる部位を有することを特徴とする。
【００１６】
請求項６に係る画像形成装置は、請求項３または４に記載の商品運搬用パレットにおいて、前記緩衝部品が、該緩衝部品を設けた前記側面と同様の平らな形状を有することを特徴とする。
【００１７】
請求項７に係る画像形成装置は、請求項４から６のいずれかに記載の商品運搬用パレットにおいて、前記開口部に着脱可能な緩衝機能部材を含むことを特徴とする。
【００１８】
請求項８に係る画像形成装置は、請求項７に記載の商品運搬用パレットにおいて、前記緩衝部品の内側または外側に前記緩衝機能部材を取り付ける機構を有することを特徴とする。
【００１９】
請求項９に係る画像形成装置は、請求項１から８のいずれかに記載の商品運搬用パレットにおいて、少なくともパルプモールド等の材質の紙製成型品からなる部分を含むことを特徴とする。
【００２０】
請求項１０に係る画像形成装置は、請求項１から８のいずれかに記載の商品運搬用パレットにおいて、少なくとも樹脂成型品からなる部分を含むことを特徴とする。
【００２１】
請求項１１に係る画像形成装置は、請求項８に記載の商品運搬用パレットにおいて、前記緩衝機能部材の材質が積層段ボール材からなることを特徴とする。
【００２２】
請求項１２に係る画像形成装置は、請求項８に記載の商品運搬用パレットにおいて、前記緩衝機能部材の材質が発泡ポリスチレン等の樹脂成型品からなることを特徴とする。
【発明の効果】
【００２３】
本発明によれば、商品運搬用パレットの少なくとも一の側面部に衝撃を吸収するための緩衝部材を少なくとも一つ配してなることにより、搭載する外箱外周にクリアランスができ、そのため、外箱と他の物品との接触を防止でき、外箱の美観を維持することができる。
【発明を実施するための最良の形態】
【００２４】
以下本発明を実施するための最良の形態を、図に示す実施例を参照して説明する。
【実施例１】
【００２５】
図１、図２は本発明の実施例１に係る商品運搬用パレットの組立（取付）状態図を示す斜視図である。本実施例での梱包装置は、ダンボールで形成されたダンボールパレット１と、ダンボールパレット１の上面を覆うように被せられる外装箱２と、ダンボールパレット１の側面に設けられる緩衝部材３とで構成してある。
【００２６】
運搬する商品は、ダンボールパレット１の上に載置され、図示しない緩衝部材（例えば発泡材）を商品の外周に取り付け、商品の外周と外装箱２の内周との隙間を埋めることで運搬時の揺れで商品が損傷することを防止するようになっている。また外装箱２は、図示しないロック部材によりダンボールパレット１に固定する。
【００２７】
ダンボールパレット１は、図１の右上方から左下方に向けて、図示しないフォークリフトのフォーク（これも図示していない）を挿入できるフォーク挿入孔４が形成されており、このフォークの先端が位置する側のパレット１の側面には、パレットの桁材の先端に図示のように緩衝部材３が設けてある。
【００２８】
緩衝部材３は、フォーク挿入孔４が形成されたダンボールパレット１の一の側面を覆う大きさとしてあり、３個の凸部３ａ、３ｂ、３ｃを備え、中央の凸部３ｂが幅広で、両脇の凸部３ａ、３ｃは中央の凸部３ｂよりも幅が狭くなっている。なお、フォーク挿入孔４の周囲には枠状に緩衝部材３の連結部分３ｄが位置している。パレットの桁材の先端に対応する部分を外方へ膨出させ、その内側に別部材である緩衝機能部材５を配してパレットの桁材の先端に取り付ける構成としてある。
【００２９】
緩衝部材および緩衝機能部材の材質としては、紙製成型品（例えばパルプモールド）、樹脂成型品（例えば発泡ポリスチレン）、紙製部品（例えば段ボールを複数枚重ねて貼合された積層段ボール）を採用し得る。
【００３０】
緩衝部材３の両脇の凸部３ａ、３ｃは、図２に示すように、両端をそれぞれ内側に折り込んだ形状とし、その折り込み部分３ｅをダンボールパレット１の桁部分に挿入して組み付ける構成とすることができる。このようにして組み付けた状態の断面図を図３に示す。図３の上方がダンボールパレット１の開口方向（フォーク６の挿入方向は上方から下方へとなる）を示しており、このような構成により、図４で示すように凸部３ａ〜３ｃが変形することによって衝撃を吸収し、緩衝部材３が変形しても、折り込み部分３ｅはダンボールパレット１の桁の内部に嵌合されているので外れることを防止できる。なお図４（Ｂ）では中央部の凸部３ｂのみを示しているが、両脇の凸部３ａ、３ｃでも同様である。
【００３１】
既に述べたように、この種のダンボールパレットの従来品は、図５（Ａ）に示すように、その端部と外装箱の端部との高さ方向の位置がほぼ同じであったため、製品輸送時に、梱包状態の製品が壁７などの障害物に衝突することが想定される。よって、従来の形態では、梱包状態の寸法は製品寸法＋緩衝材が緩衝機能を果たすための緩衝距離が必要となる。搭載された製品本体８の緩衝材３に接する部分は、製品外装面を強固にする必要がある。これに対し、図５（Ｂ）に示すように、本実施例では、少なくともダンボールパレット１のフォーク挿入方向先端側（図では右側）のパレット側面に緩衝部材３を設けることにより、製品本体８の側面部に設置する緩衝材３の緩衝距離を最小限に留めることができる。また、緩衝部材３の端部と外装箱２の端部との高さ方向の位置がずれているため、梱包装置を並置した際に、梱包装置の外装箱同士が接触して損傷することを防止できる。なお、図５（Ｂ）では緩衝部材３をフォーク挿入方向後端側（図では左側）にも設けてあるが、図示の運搬形態であれば設けなくてもよい。
【００３２】
このときに緩衝部材３の凸部３ａ〜３ｃに衝撃が加わり、変形して左右に広がり、衝撃を吸収、緩和することが可能となることは上述の通りである。
【実施例２】
【００３３】
図６、図７は本発明の実施例２に係る商品運搬用パレットの組立（取付）状態図を示す斜視図である。本実施例での梱包装置は、緩衝部材３の凸部３ａ、３ｂ、３ｃが独立しており、先の実施例の連結部分３ｄを備えていない。また凸部３ａ、３ｃの折り込み部分３ｅが上下方向で幅狭に形成してある。その他の点は先の実施例と同様である。
【実施例３】
【００３４】
図８、図９は本発明の実施例３に係る商品運搬用パレットの組立（取付）状態図を示す斜視図である。図１０は、本実施例の緩衝部材を組み付けた状態の拡大断面図である。本実施例での梱包装置は、緩衝部材３がダンボールパレット１の側面と同様の平らな形状を有し、実施例１の凸部３ａ〜３ｃに相当する平たん部分には、緩衝機能部材５を取り付ける小凸部３ｆが設けてあり、緩衝機能部材５を貼り付ける等して装着するようになっている。したがって、緩衝部材３の外側に緩衝機能部材５が露出する点は実施例１、２と異なる。
【産業上の利用可能性】
【００３５】
本発明は以上説明してきたようなものなので、
・インクジェット方式・電子写真方式等、画像形成装置の包装技術分野
・上記以外の機械製品一般の包装技術分野
・インクジェット方式画像形成方法を用いる、ＰＰＣ・ＦＡＸ・プリンタ等（カラー・モノクロ）・スキャナ・文書等電子情報蓄積機能を有する装置及び、その複合機能を具備する画像形成装置、及びそれら機器の機能拡張オプション類・機能維持のためのサプライ商品群等の包装容器
・電子写真方式画像形成方法を用いる、ＰＰＣ、ファクシミリ、プリンタ等（カラー、モノクロ）、スキャナ、文書等電子情報蓄積機能を有する装置及び、その複合機能を具備する画像形成装置、及びそれら機器の機能拡張オプション類・機能維持のためのサプライ商品群等の包装容器
等に利用可能である。勿論上述した装置と類似の装置にも採用可能である。
【図面の簡単な説明】
【００３６】
【図１】本発明の実施例１に係る商品運搬用パレットの組立（取付）状態図を示す斜視図
【図２】本発明の実施例１に係る商品運搬用パレットの組立（取付）状態図を示す斜視図
【図３】緩衝部材の組み付け状態の拡大断面図
【図４】緩衝部材の組み付け状態の変形状態を示す図
【図５】従来例と本発明の実施例１を比較して示す断面図
【図６】本発明の実施例２に係る商品運搬用パレットの組立（取付）状態図を示す斜視図
【図７】本発明の実施例２に係る商品運搬用パレットの組立（取付）状態図を示す斜視図
【図８】本発明の実施例３に係る商品運搬用パレットの組立（取付）状態図を示す斜視図
【図９】本発明の実施例３に係る商品運搬用パレットの組立（取付）状態図を示す斜視図
【図１０】実施例３の緩衝部材を組み付けた状態の拡大断面図
【符号の説明】
【００３７】
１：ダンボールパレット
２：外装箱
３：緩衝部材
３ａ、３ｂ、３ｃ：緩衝部材の凸部
３ｄ：連結部分
３ｅ：折り込み部分
３ｆ：小凸部
４：フォーク挿入孔
５：緩衝機能部材
６：フォーク
７：壁
８：製品本体
【図１】
2009149328.tif 000003
【図２】
2009149328.tif 000004
【図３】
2009149328.tif 000005
【図４】
2009149328.tif 000006
【図５】
2009149328.tif 000007
【図６】
2009149328.tif 000008
【図７】
2009149328.tif 000009
【図８】
2009149328.tif 000010
【図９】
2009149328.tif 000011
【図１０】
2009149328.tif 000012